(57)【要約】【課題】  両レンズが連結部材の両側に連結され、レンズ外側にはヨロイを取着し、そしてヨロイには蝶番などの継手を介してツルを折畳み可能に取付けている縁なしメガネであって、ネジを用いることなく簡単に組立てすることが出来、逆に分解の手軽に行い得る縁なしメガネの提供。【解決手段】  レンズ１には非円形のレンズ穴７を貫通して設け、該レンズ穴７には先端側を僅かに小さくしてテーパーを有す樹脂製のブッシュ８を嵌め、該ブッシュ８の非円形ピン穴９には連結部材２の両側に突出したピン１０を嵌入し、同じくヨロイ３に突出したピン１０を嵌入している。【選択図】    図４
2005241699.tif 000002
【特許請求の範囲】
【請求項１】
両レンズが連結部材の両側に連結され、レンズ外側にはヨロイを取着し、そしてヨロイには蝶番などの継手を介してツルを折畳み可能に取付けている縁なしメガネにおいて、レンズには非円形のレンズ穴を貫通して設け、該レンズ穴には先端側を僅かに小さくしてテーパーを有す樹脂製のブッシュを嵌め、該ブッシュの非円形ピン穴には連結部材の両側に突出したピンを嵌入し、同じくヨロイに突出したピンを嵌入したことを特徴とする縁なしメガネ。
【請求項２】
両レンズを一体化した一眼レンズの外側にヨロイを取着し、そしてヨロイには蝶番などの継手を介してツルを折畳み可能に取付けている縁なしメガネにおいて、レンズには非円形のレンズ穴を貫通して設け、該レンズ穴には先端側を僅かに小さくしてテーパーを有す樹脂製のブッシュを嵌め、該ブッシュの非円形ピン穴にはヨロイに突出したピンを嵌入したことを特徴とする縁なしメガネ。
【請求項３】
両レンズが連結部材の両側に連結されたハーフリムに嵌ると共に水糸などの高張力糸にて保持され、また両レンズ外側にはヨロイを取着し、そしてヨロイには蝶番などの継手を介してツルを折畳み可能に取付けているハーフリム型の縁なしメガネにおいて、レンズには非円形のレンズ穴を貫通して設け、該レンズ穴には先端側を僅かに小さくしてテーパーを有す樹脂製のブッシュを嵌め、該ブッシュの非円形ピン穴にはヨロイに突出したピンを嵌入したことを特徴とするハーフリム型の縁なしメガネ。
【請求項４】
レンズが嵌らない見掛けのリムを連結部材で連結すると共に見掛けのリム外側にはヨロイを設け、そして上記見掛けのリムから内側へ延びる止着片を介してレンズを取付け、上記ヨロイには蝶番などの継手を介してツルを折畳み可能に取付けている縁なしメガネにおいて、レンズには非円形のレンズ穴を貫通して設け、該レンズ穴には先端側を僅かに小さくしてテーパーを有す樹脂製のブッシュを嵌め、該ブッシュの非円形ピン穴には上記止着片に突出したピンを嵌入したことを特徴とする見掛けのリムを備えた縁なしメガネ。
【請求項５】
上記ツルは弾性変形に優れた材質から成り、継手を用いることなくヨロイと連続して形成した請求項１、請求項２、請求項３、又は請求項４記載の縁なしメガネ。
【請求項６】
両レンズが連結部材の両側に連結され、連結部材からレンズ上縁又は下縁に沿ってマユ部材を外方向へ延ばし、該マユ部材先端には蝶番などの継手を介してツルを折畳み可能に取付けている縁なしメガネにおいて、レンズには非円形のレンズ穴を貫通して設け、該レンズ穴には先端側を僅かに小さくしてテーパーを有す樹脂製のブッシュを嵌め、該ブッシュの非円形ピン穴には連結部材の両側に突出したピンを嵌入したことを特徴とする縁なしメガネ。
【請求項７】
上記ツルは弾性変形に優れた材質から成り、継手を用いることなくマユ部材と連続して形成した請求項６記載の縁なしメガネ。
【請求項８】
両レンズがワタリに取付けられ、該ワタリ側端には蝶番などの継手を介してツルを折畳み可能に取付けているワタリを備えた縁なしメガネにおいて、レンズには非円形のレンズ穴を貫通して設け、該レンズ穴には先端側を僅かに小さくしてテーパーを有す樹脂製のブッシュを嵌め、該ブッシュの非円形ピン穴にはワタリに突出したピンを嵌入したことを特徴とするワタリを備えた縁なしメガネ。
【請求項９】
上記ツルは弾性変形に優れた材質から成り、継手を用いることなくワタリと連続して形成した請求項８記載の縁なしメガネ。
【請求項１０】
上記樹脂製のブッシュにテーパーを形成することなく、後端にツバを設けた請求項１、請求項２、請求項３、請求項４、請求項５、請求項６、請求項７、請求項８、又は請求項９記載の縁なしメガネ。
【請求項１１】
上記レンズに長円形状のレンズ穴を貫通してブッシュを嵌め、該ブッシュの長円形状をしたピン穴に長円断面のピンを嵌入した請求項１、請求項２、請求項３、請求項４、請求項５、請求項６、請求項７、請求項８、請求項９、又は請求項１０記載の縁なしメガネ。
【発明の詳細な説明】
【技術分野】
【０００１】
本発明はリムを用いないで連結部材などにて両レンズを直接連結して構成する縁なしメガネに関するものである。
【背景技術】
【０００２】
縁なしメガネとはリムを備えないで両レンズを連結部材の両側に直接ネジ止めし、そしてレンズ外側にはヨロイをネジ止めにて取着すると共に該ヨロイには蝶番などの継手を介してツルを折畳み可能に取付けて構成されている。図１０は従来の一般的な縁なしメガネの外観を表している具体例である。
【０００３】
両レンズ(イ)、(イ)は連結部材(ロ)によってネジ止めされ、レンズ(イ)、(イ)の外側にはヨロイ(ハ)、(ハ)がネジ止めにて取着されている。そして、このヨロイ(ハ)、(ハ)には継手部を介してツル(ニ)、(ニ)が折畳み出来るように取付けされ、さらにレンズ(イ)、(イ)の内側には上記連結部材(ロ)から延びる脚先端に鼻当てパット(ホ)、(ホ)が設けられている。
【０００４】
ところで、両レンズ(イ)、(イ)は連結部材(ロ)にてネジ止めされ、同じくヨロイ(ハ)、(ハ)はレンズ外側にネジ止めされているが、１本のネジでレンズ(イ)と連結固定する場合、ネジを中心として回転しない構造としなければならない。縁無しメガネではレンズの外周に当接する当り片(ヘ)を連結部材(ロ)並びにヨロイ(ハ)に設けることで、レンズの回転を阻止してガタ付かない構造が採用されている。
【０００５】
このように、両レンズ(イ)、(イ)を連結部材(ロ)の両サイドにネジ止めすると共にレンズ外側にヨロイ(ハ)、(ハ)がネジ止めされ、リムを備えないことで軽くて掛け易いといった利点がある。ところが、縁なしメガネの形態も色々あって、レンズ(イ)、(イ)を連結部材(ロ)にネジ止めすることなく固定する構造、及びレンズ外側にヨロイ(ハ)をネジ止めしないで固定する構造も知られている。
【０００６】
特開２００３−３３７３０５号に係る「眼鏡レンズへの枠部品の固定機構及びツーポイント眼鏡枠」は、接着剤あるいは螺子止めを使用しないで、眼鏡レンズへの枠部品を固定したものである。すなわち、「眼鏡レンズの貫通孔に、枠部材と連結あるいは一体に形成された弾性変形可能な貫入部を貫入し、さらに貫入部の貫通孔に金属等の剛体材料のピンを嵌入する。ピンの嵌入により貫入部が弾性変形して、眼鏡レンズの貫通孔の側壁を押圧することにより、眼鏡レンズの貫通孔に枠部品が固定される。」
ところが、この連結構造では貫入部の貫通孔にピンを嵌入した構造であるために、貫通孔及びピンが表面化して縁なしメガネの外観が損なわれる。そして、ピンを貫入部の貫通孔に嵌入することで、該ピンは抜き取り難く、レンズを取外すことは容易でない。そして、連結部材及びヨロイにレンズ穴に嵌まる弾性変形可能な貫入部を備えているが、枠部材となる連結部材及びヨロイの強度が低下してしまう。
【特許文献１】特開２００３−３３７３０５号に係る「眼鏡レンズへの枠部品の固定機構及びツーポイント眼鏡枠」
【発明の開示】
【発明が解決しようとする課題】
【０００７】
このように、従来の縁なしメガネには上記のごとき問題がある。本発明が解決しようとする課題はこの問題点であり、組立て作業が簡単であると共に、逆に、分解も手軽に行うことが出来るコスト的にも安い縁なしメガネを提供する。
【課題を解決するための手段】
【０００８】
本発明に係る縁なしメガネは、外観上の基本形態は従来のものと共通しているが、ネジを用いないで連結部材の両側にレンズを固定し、そしてレンズ外側にはヨロイを固定した構造としている。レンズには貫通したレンズ穴が設けられ、該レンズ穴には樹脂製ブッシュが嵌着される。樹脂製ブッシュは先端側より後方端が僅かに大きなテーパーと成っていて、レンズ穴に嵌着されるが、レンズ穴を挿通することはない。そこで、上記テーパーの代わりに外形を大きくしたツバを設けることも可能である。
【０００９】
そして、連結部材の両端及びヨロイにはピンが突出し、該ピンは上記樹脂製ブッシュのピン穴に嵌合する。ピンが嵌合することでブッシュ外形は拡大し、該ブッシュはレンズ穴に嵌着することが出来、大きな摩擦抵抗が発生して外れないようになる。ここで、レンズ穴は円形ではなく、長円又は多角形などの形状とすることで、該ブッシュはレンズ穴内で回転せず、同じくブッシュのピン穴に嵌まるピンの断面形状も長円や多角形などと成っている。
【００１０】
従って、レンズは連結部材のピンを中心として回転することなく、又ヨロイがピンを中心として回転することはない。本発明はリムを用いない縁なしメガネを対象としているが、該縁なしメガネの形態として、ヨロイを用いることなく連結部材の両側にレンズを固定すると共に、連結部材からレンズ上縁又は下縁に沿ってマユ部材を外方向へ延ばし、該マユ部材にツルを取付けることも可能である。又、連結部材も使用しない一眼レンズとして構成することもあり、縁なしメガネとしての形態は限定しない。そして、ツルは蝶番などの継手を介在することなく、弾性に優れた材質を使用することでヨロイ又はマユ部材と連続して形成する場合もある。
【発明の効果】
【００１１】
本発明に係る縁なしメガネは、レンズと連結部材やヨロイ又はワタリとの連結・固定手段としてネジを用いることはなく、樹脂製のブッシュをレンズ穴に嵌めると共に連結部材及びヨロイ等に突出したピンをブッシュのピン穴に嵌入した連結・固定構造と成っている。従って、本発明の縁なしメガネの組立ては簡単であり、又必要に応じて手軽に分解することも出来る。そして組立て作業及び分解作業に際して専用工具を用いる必要はない。
【００１２】
又、レンズ穴及びピンの断面を非円形とすることで、レンズの回転は防止され、組み立てられた縁なしメガネはガタ付くことなく安定し、低コストで製作することが可能と成る。一方、レンズをネジ止めしない為に、レンズ穴に無理な応力は作用せず、レンズが破損することもない。そして、レンズ度数の変化によって厚みが変わっても、レンズ穴にブッシュを嵌着すると共にピンを嵌入するだけの連結構造であることから、安定した連結・固定が行われる。
【実施例】
【００１３】
図１は本発明に係る縁なしメガネを示す実施例であって、この縁なしメガネの基本的な形態は従来と同じである。両レンズ１，１は連結部材２によって連結され、レンズ１，１の外側にはヨロイ３，３がネジ止めにて取着されている。そして、このヨロイ３，３には蝶番４，４を介してツル５，５が折畳み出来るように取付けされ、さらにレンズ１，１の内側には上記連結部材２から延びる脚先端に鼻当てパット６，６が設けられている。
【００１４】
ところで、両レンズ１，１は連結部材２から突出するピンを介して連結され、同じくヨロイ３，３はレンズ外側にピンを介して連結・固定されている。ここで、レンズ１にはレンズ穴が貫通して設けられ、このレンズ穴に樹脂製ブッシュが嵌着し、そしてブッシュのピン穴に上記ピンが嵌合した構造と成っている。従って、従来のような止めネジを用いることなく連結される。
【００１５】
図２はレンズ１の外側部を示しているが、レンズ１にはレンズ穴７が貫通して設けられている。このレンズ穴７は長円形を成し、所定太さのドリルを回転しながら水平移動させることで加工することが出来る。そして図３には上記樹脂製ブッシュ８を単独で表しているように、該ブッシュ８の外形は長円形を成すと共に、同じく長円形のピン穴９が貫通して設けられている。
【００１６】
また、外形は僅かにテーパーを成し、先端側が小さくて後端側が大きく成っている。図４は縁なしメガネの組立て工程を示し、レンズ外側にヨロイ３を連結する工程を表している。
(ａ)はレンズ１、ヨロイ３、及びブッシュ８が互いに分離している状態であり、ヨロイ３には長円形断面のピン１０が突出している。
(ｂ)はレンズ１のレンズ穴７にブッシュ８の先端部を嵌めた場合である。ブッシュ８は先端側を僅かに小さくしているために、レンズ穴７に該先端部は簡単に嵌まる。
(ｃ)はヨロイ３のピン１０をブッシュ８のピン穴９に嵌入した場合である。この場合、ブッシュ８の後端部はレンズ穴７から突出している。
(ｄ)は後端部を押圧してブッシュ８をレンズ穴７に嵌着した場合である。
【００１７】
後端部を僅かに大きくなるようにテーパーを形成したブッシュ８がレンズ穴７に圧入されることで、ピン穴９が収縮して嵌入されたピン１０は固定される。勿論、嵌着したブッシュ８も抜けないように固定されるが、ヨロイ３を取外す場合にはピン１０をブッシュ８のピン穴９から抜くことが出来る。ここで、該ブッシュ８の後端部を大きくしたテーパーの代わりに、該後端にツバを形成することも可能である。
【００１８】
ところで、連結部材２とレンズ１との連結構造の場合も同じであり、レンズ穴７にはブッシュ８を嵌め、そして該ブッシュ８のピン穴９に連結部材２から突出するピン１０を圧入することが出来る。又、レンズ１に設けられるレンズ穴７は実施例に示す長円に限らず、多角形穴、楕円形穴など、嵌まった状態で回転しない非円形であればよい。勿論、ピン穴９及びピン１０の断面形状も非円形とされる。
【００１９】
図５は本発明に係る縁なしメガネの別形態を示している。同図から明らかなように該縁なしメガネにはヨロイがなく、両レンズ１，１は連結部材２の両端に連結・固定されている。そして、連結部材２の両端部からマユ部材１１，１１をレンズ上縁に沿って延ばし、マユ部材１１，１１の先端にはツル５，５が蝶番４，４を介して折畳み出来るように取付けられている。この縁なしメガネにおいて、レンズ１，１と連結部材２の連結構造は前記実施例の場合と同じである。
【００２０】
前記図５に示す縁なしメガネでは、マユ部材１１，１１がレンズ上縁に沿って形成されているが、下縁に沿ったマユ部材を形成することもあり、該マユ部材の先端に蝶番を介してツル５，５を折畳み出来るように取付け出来る。このように、本発明に係る縁なしメガネの形態は限定せず、レンズが嵌るリムを備えないものであれば対象とする。
【００２１】
図６は縁なしメガネの別形態であり、両レンズ１，１が繋がって一眼レンズを構成した場合であり、レンズ１，１の外側にはヨロイ３，３が取付けられている。この場合のヨロイ取付け構造は前記図１に示した縁なしメガネの場合と共通している。
【００２２】
図７に示す縁なしメガネはハーフリム１２，１２が用いられ、連結部材２ａ，２ｂの両端には該ハーフリム１２，１２が取着されている。そして、ハーフリム１２，１２にレンズ１，１の一部が嵌ると共に水糸１３，１３にて保持されている。ヨロイ３，３は前記実施例の場合と同じようにレンズ１，１の外側に取付けられ、その取付け構造は共通している。
【００２３】
図８に示す縁なしメガネはワタリ１４を用いている。そして該ワタリ１４に両レンズ１，１が取付けられているが、ワタリ１４から突出するピンを介して連結・固定されている。ここで、レンズ１にはレンズ穴が貫通して設けられ、このレンズ穴に樹脂製ブッシュが嵌着し、そしてブッシュのピン穴にワタリ１４から突出するピンが嵌合した構造であり、前記実施例の場合と同じである。
【００２４】
図９に示す縁なしメガネは見掛けのリム１５，１５を有し、該見掛けのリム１５，１５は連結部材２を介して連結されている。そして見掛けのリム１５、１５から内側へ延びる止着片１６，１６にレンズ１，１が取付けられている。従って、見掛けのリム１５，１５にはレンズ１，１は嵌らず、正面から見た場合にリムに嵌っているように見えるだけである。上記止着片１６，１６に取付けられるレンズ１，１の取付け構造は前記実施例の場合と同じである。
【図面の簡単な説明】
【００２５】
【図１】本発明に係る縁なしメガネ。
【図２】長円形のレンズ穴が形成されているレンズ。
【図３】樹脂製ブッシュの具体例。
【図４】レンズ外側にヨロイを取付ける工程。
【図５】本発明に係る縁なしメガネ。
【図６】本発明に係る縁なしメガネ。
【図７】本発明に係る縁なしメガネ。
【図８】本発明に係る縁なしメガネ。
【図９】本発明に係る縁なしメガネ。
【図１０】従来の縁なしメガネ。
【符号の説明】
【００２６】
１  レンズ
２  連結部材
３  ヨロイ
４  蝶番
５  ツル
６  鼻当てパット
７  レンズ穴
８  ブッシュ
９  ピン穴
10  ピン
11  マユ部材
12  ハーフリム
13  水糸
14  ワタリ
15  見掛けのリム
16  止着片
【図１】
2005241699.tif 000003
【図２】
2005241699.tif 000004
【図３】
2005241699.tif 000005
【図４】
2005241699.tif 000006
【図５】
2005241699.tif 000007
【図６】
2005241699.tif 000008
【図７】
2005241699.tif 000009
【図８】
2005241699.tif 000010
【図９】
2005241699.tif 000011
【図１０】
2005241699.tif 000012